(57)【要約】【課題】報知部で報知する期間を限定することにより電池の消耗を軽減すること。【解決手段】報知要求信号Ｎ０があれば報知部Ｍ２は２４時間タイマ部Ｍ５に２４時間タイマ確認信号Ｎ５を出力し、時間、月日、曜日や時間が任意に設定した報知信号出力可能期間内と判断すると、報知信号出力許可時間帯信号Ｎ６を出力し、報知部Ｍ２は報知を行う。これにより、ガス遮断装置の電池の消耗を軽減する効果がある。【選択図】　図３
2004118530.tif 000002
【特許請求の範囲】
【請求項１】
流量を判定する流量判定部と、外部に報知する報知部と、所定の時間を計測するタイマ部とを有し、報知要求があれば一定流量が流れている間は前記報知部により報知し、かつ一定流量以下となった後は所定の時間だけ前記タイマ部によって計測し、計測中は前記報知部より報知するガス遮断装置。
【請求項２】
タイマ部は２４時間を計測する請求項１記載のガス遮断装置。
【請求項３】
暦により曜日や月日を判定するカレンダ部を有し、前記カレンダ部により任意の曜日または月日を特定して報知する請求項２記載のガス遮断装置。
【請求項４】
日数をカウントする日数カウンタ部を有し、報知部により報知を開始してから所定の日数が経過すると、前記報知部から報知する時間やパターンを変更する請求項２または３記載のガス遮断装置。
【請求項５】
ガスを遮断する遮断弁を有し、報知部により報知を開始してから所定の日数が経過すると、日数、カウンタ部からの遮断信号により前記遮断弁を遮断するガス遮断装置。
【発明の詳細な説明】
【０００１】
【発明の属する技術分野】
本発明は、ガス遮断装置に関し、特に報知時間を制御して電池の消耗を軽減したガス遮断装に関するものである。
【０００２】
【従来の技術】
従来、図６に示すようにガス遮断装置Ｍ０は報知部Ｍ２を有し、制御部Ｍ１より報知要求信号Ｎ０が出力されたときに、報知部Ｍ２により外部に報知信号Ｌ１を報知していた（たとえばＬＥＤを１．６秒間隔のパターンで繰り返し点滅）。
【０００３】
【発明が解決しようとする課題】
しかしながら従来のガス遮断装置では、報知部からの報知はガス利用者がガスを使用したときに異常を感じて確認するか、月一回のメータの検針時に作業者が確認するかによって発見することが多く、いつまでも報知されたままとなってしまう場合があった。また、ガス遮断装置は電池駆動であるため、長い間報知したままにすると電池の消耗を促進するという課題を有していた。
【０００４】
【課題を解決するための手段】
上記課題を解決するために、本発明は流量を判定する流量判定部と、外部に報知する報知部と、所定の時間を計測するタイマ部とを有し、報知要求があれば一定流量が流れている間は前記報知部により報知し、かつ一定流量以下となった後は所定の時間だけ前記タイマ部によって計測し、計測中は前記報知部より報知するようにしたものであり、報知部で報知する期間を限定するようにしている。
【０００５】
上記発明によれば、報知要求時の報知部からの報知による電池の消耗を軽減し、省エネルギー化することが可能となる。
【０００６】
【発明の実施の形態】
請求項１に記載の発明は、流量を判定する流量判定部と外部に報知する手段を有する報知部を有し、所定の時間を計測するタイマ部を有し、報知要求があれば一定流量が流れている間に報知部により報知する特徴を有し、かつ一定流量以下となった後に所定の時間だけタイマを計測し、タイマ計測中は報知部より報知部により報知する特徴を有しているガス遮断装置であり、ガスを利用時とその後の一定時間の間のみ報知部によって報知することにより、電池の消耗を軽減する効果がある。
【０００７】
請求項２に記載の発明は、２４時間を計測する２４時間タイマ部と外部に報知する手段を有する報知部を有し、報知要求があれば２４時間タイマの所定の時間の間、報知部により報知する特徴を有しているガス遮断装置であり、所定の時間帯のみ報知部によって報知することによりガス遮断装置の電池の消耗を軽減する効果がある。
【０００８】
請求項３に記載の発明は、請求項２において、暦により曜日や月日を判定するカレンダ部を有し、報知要求があればカレンダ部により所定の曜日または月日に、報知部により報知する特徴を有しているガス遮断装置であり、所定の曜日または月日のみに所定の時間帯で報知部によって報知することにより、電池の消耗を軽減する効果がある。
【０００９】
請求項４に記載の発明は、請求項２、３において、日数をカウントする日数カウンタ部を有し、報知部により報知を開始してから所定の日数が経過すると、報知部を報知する時間やパターンを変更する特徴を有しているガス遮断装置であり、報知部が発見されなかった場合に発見を促す効果がある。
【００１０】
請求項５に記載の発明は、請求項４において、遮断信号を受け取ると遮断する弁を有し、報知部により報知を開始してから所定の日数が経過すると、遮断信号を出力し弁を遮断させる特徴を有しているガス遮断装置であり、報知部による報知が長い間続いた場合、弁を遮断することによって報知していることの発見を促す効果がある。
【００１１】
【実施例】
以下、本発明の実施例について図面を用いて説明する。
【００１２】
（実施例１）
図１は本発明のガス遮断装置Ｍ０の機能ブロック図である。制御部Ｍ１より報知部Ｍ２に報知要求信号Ｎ０を出力する。報知部Ｍ２は前記報知要求信号Ｎ０を受け取ると、流量判定部Ｍ３に流量判定中確認信号Ｎ１を出力する。流量判定部Ｍ３が流量判定中であれば、流量判定中信号Ｎ２を前記報知部Ｍ２に出力する。流量判定部Ｍ３が判定を終了すれば、タイマ部Ｍ４に流量判定終了信号Ｎ３を出力し、タイマ部Ｍ４は任意の時間を計測する。タイマ部Ｍ４が任意の時間を計測中はタイマ計測中信号Ｎ４を報知部Ｍ２に出力する。
【００１３】
報知部Ｍ２は、タイマ計測中信号Ｎ４を受け取っている間に報知要求信号Ｎ０を受け取るか、または、流量判定中信号Ｎ２を受けとると報知信号Ｌ１（たとえば、ＬＥＤによる光信号や音）を出力する。
【００１４】
（実施例２）
図２は本発明のガス遮断装置Ｍ０の機能ブロック図である。制御部Ｍ１より報知部Ｍ２に報知要求信号Ｎ０を出力する。報知部Ｍ２は報知要求信号Ｎ０を受け取ると、２４時間タイマ部Ｍ５に２４時間タイマ確認信号Ｎ５を出力し、２４時間タイマ部Ｍ５は２４時間タイマ確認信号Ｎ５を受け取ると、時間が報知信号出力可能な時間内と判断すると、報知信号出力許可時間帯信号Ｎ６を報知部Ｍ２に出力する。報知部Ｍ２は、報知信号出力許可時間帯信号Ｎ６を受けとると報知信号Ｌ１（たとえば、ＬＥＤによる光信号や音）を出力する。なお、２４時間タイマ部Ｍ５の報知信号出力可能時間は任意に設定できるものとし、また、２４時間タイマのタイマ調整も外部からできるものとする。
【００１５】
（実施例３）
図３は本発明のガス遮断装置Ｍ０の機能ブロック図である。制御部Ｍ１より報知部Ｍ２に報知要求信号Ｎ０を出力する。報知部Ｍ２は報知要求信号Ｎ０を受け取ると、２４時間タイマ部Ｍ５に２４時間タイマ確認信号Ｎ５を出力する。２４時間タイマ部Ｍ５は２４時間タイマ確認信号Ｎ５を受け取ると、時間が報知信号出力可能な時間内と判断すると、カレンダ部Ｍ６に月日確認信号Ｎ７を出力する。カレンダ部Ｍ６は、月日確認信号Ｎ７を受け付けると暦から月日を確認し、任意に設定した月日であれば月日許可信号Ｎ８を報知部Ｍ２に出力する。報知部Ｍ２は月日許可信号Ｎ８を受けとると報知信号Ｌ１（たとえば、ＬＥＤによる光信号や音）を出力する。なお、２４時間タイマ部Ｍ５の報知信号出力可能時間は任意に設定できるものとし、また、２４時間タイマのタイマ調整も外部からできるものとする。なお、カレンダ部Ｍ６で報知する期間の設定は任意の月日だけでなく、月のみ、日のみ、曜日のみを設定することもできるものとし、また、カレンダ部の暦の調整が外部からできるものとする。
【００１６】
（実施例４）
図４は本発明のガス遮断装置Ｍ０の機能ブロック図である。制御部Ｍ１より報知部Ｍ２に報知要求信号Ｎ０を出力する。報知部Ｍ２は報知要求信号Ｎ０を受け取ると、２４時間タイマ部Ｍ５に２４時間タイマ確認信号Ｎ５を出力する。２４時間タイマ部Ｍ５は２４時間タイマ確認信号Ｎ５を受け取ると、日数カウンタ部Ｍ７に日数カウント信号Ｎ９を出力し、時間が報知信号出力可能な時間内と判断すると、報知信号出力許可時間帯信号Ｎ６を報知部Ｍ２に出力する。日数カウンタ部Ｍ７は、日数カウント信号Ｎ９を受けとると日数のカウントを開始し、日数カウント信号Ｎ９を受け取り続けるとカウントを続け、受け取らなくなると日数カウンタをクリアする。日数カウンタ部Ｍ７のカウンタが任意の日数を経過すると設定日数経過信号Ｎ１０を報知部Ｍ２に出力する。報知部Ｍ２は報知信号出力許可時間帯信号Ｎ６を受けとると報知信号Ｌ１（たとえば、ＬＥＤによる光信号や音）を出力し、設定日数経過信号Ｎ１０を受け取ると異なるパターンの報知信号Ｌ１（たとえば、ＬＥＤによる光信号や音）を出力する。なお、２４時間タイマ部Ｍ６の報知信号出力可能時間は任意に設定できるものとし、また、２４時間タイマのタイマ調整も外部からできるものとする。
【００１７】
（実施例５）
図５は本発明のガス遮断装置Ｍ０の機能ブロック図である。制御部Ｍ１より報知部Ｍ２に報知要求信号Ｎ０を出力する。報知部Ｍ２は報知要求信号Ｎ０を受け取ると、２４時間タイマ部Ｍ５に２４時間タイマ確認信号Ｎ５を出力する。２４時間タイマ部Ｍ５は２４時間タイマ確認信号Ｎ５を受け取ると、時間が報知信号出力可能な時間内と判断すると、報知信号出力許可時間帯信号Ｎ６を警報部Ｍ２に出力し、日数カウンタ部Ｍ７に日数カウント信号Ｎ９を出力する。日数カウンタ部Ｍ７は、日数カウント信号Ｎ９を受けとると日数のカウントを開始し、日数カウント信号Ｎ９を受け取り続けるとカウントを続け、受け取らなくなると日数カウンタをクリアする。日数カウンタ部Ｍ７は、任意の日数が経過すると設定日数経過遮断信号Ｎ１１を弁Ｍ８に出力する。弁Ｍ８は設定日数経過遮断信号Ｎ１１を受け取ると弁を遮断する。報知部Ｍ２は報知信号出力許可時間帯信号Ｎ６を受けとると報知信号Ｌ１（たとえば、ＬＥＤによる光信号や音）を出力する。なお、２４時間タイマ部Ｍ５の報知信号出力可能時間は任意に設定できるものとし、また、２４時間タイマのタイマ調整も外部からできるものとする。
【００１８】
【発明の効果】
以上のように本発明のガス遮断装置によれば次の効果が得られる。
【００１９】
１．ガスを利用中また使用後一定期間のみ報知することにより、電池の消耗を軽減することができる。
【００２０】
２．２４時間タイマにより所定の時間帯のみ報知することにより、発見されにくい時間帯での報知による電池の消耗を軽減することができる。
【００２１】
３．暦により任意の月日や曜日に報知することにより、発見されにくい日時や曜日での報知による電池の消耗を軽減することができる。
【００２２】
４．任意の日数経過後に、報知する時間やパターンを変更することにより報知部の報知を発見しやすくする効果がある。
【００２３】
５．報知を一定期間行った後は遮断弁を遮断させることにより、作業者に発見されなかった場合にガスを利用できなくすることで報知の発見を促し電池が消耗することを軽減させることができる。
【図面の簡単な説明】
【図１】本発明の実施例１におけるガス遮断装置の機能ブロック図
【図２】本発明の実施例２におけるガス遮断装置の機能ブロック図
【図３】本発明の実施例３におけるガス遮断装置の機能ブロック図
【図４】本発明の実施例４におけるガス遮断装置の機能ブロック図
【図５】本発明の実施例５におけるガス遮断装置の機能ブロック図
【図６】従来のガス遮断装置の機能ブロック図
【符号の説明】
Ｍ０　ガス遮断装置
Ｍ１　制御部
Ｍ２　報知部
Ｍ３　流量判定部
Ｍ４　タイマ部
Ｍ５　２４時間タイマ部
Ｍ６　カレンダ部
Ｍ７　日数カウンタ部
Ｍ８　弁
【図１】
2004118530.tif 000003
【図２】
2004118530.tif 000004
【図３】
2004118530.tif 000005
【図４】
2004118530.tif 000006
【図５】
2004118530.tif 000007
【図６】
2004118530.tif 000008